(57)【要約】【課題】分岐配管を挟み潰した箇所から主配管側の位置に流体が滞留したとしても、この流体の滞留量を少なくすることができるクランプ、分岐管継手、および血液回路を提供する。【解決手段】第１凸部３２が形成された第１挟持部２６と、第２凸部３３が形成された第２挟持部２７と、第１挟持部２６および第２挟持部２７に連なる連結部２９と、第２挟持部２７に形成されて第１挟持部２６を係合可能な係合部３０ａとを備え、分岐管継手１４の主管部２１を第１凸部３２と第２凸部３３と連結部２９との間で保持し、第２挟持部２７のうち第２凸部３３を挟んで連結部２９とは反対側には分岐挿通口３５を開設して分岐管継手１４の分岐管部２２を挿通し、第１挟持部２６を係合部３０ａへ係合すると、第１凸部３２と第２凸部３３とが近接し、第１凸部３２と第２凸部３３とで分岐管部２２のうち主管部２１寄りの箇所を挟み潰して、分岐管部２２の流体の流れを遮断する。【選択図】図３
2010279495.tif 000002
【特許請求の範囲】
【請求項１】
第１凸部が形成された一端部と、前記第１凸部と対向する第２凸部が形成された他端部と、前記一端部および前記他端部に連なる中間部と、前記他端部に形成されて前記一端部を係合可能な係合部と、を備え、前記中間部を撓ませて一端部を係合部へ係合すると、第１凸部と第２凸部とが近接し、第１凸部と第２凸部との間に挿通された可撓性チューブを挟持して、該可撓性チューブの挟持部位における流体の流れを遮断するクランプにおいて、
前記可撓性チューブのうち流体の本流路が形成される主配管を第１凸部と第２凸部と中間部との間で保持し、
前記一端部のうち第１凸部を挟んで中間部とは反対側、または他端部のうち第２凸部を挟んで中間部とは反対側には、可撓性チューブのうち主配管からＴ字状に分岐された分岐配管が挿通される分岐挿通口を開設し、
前記第１凸部と第２凸部とで分岐配管のうち主配管寄りの箇所を挟み潰すように構成されたことを特徴とするクランプ。
【請求項２】
前記一端部または他端部のうち分岐挿通口が開設された箇所の側縁から分岐挿通口に亘ってスリット状の挿入開口を分岐配管の管径よりも狭い幅で開設し、分岐配管を一端部または他端部の側方から挿入開口へ通して分岐挿通口へ嵌合可能としたことを特徴とする請求項１に記載のクランプ。
【請求項３】
前記挿入開口の縁部には複数の返し突起を突出端が分岐挿通口寄りに位置する状態で突設したことを特徴とする請求項２に記載のクランプ。
【請求項４】
両端に一対の開口を開放した主管部と、該主管部からＴ字状に分岐した分岐管部とを備え、少なくとも分岐管部を可撓性部材により形成し、主管部内および分岐管部内に流体を流動可能とし、分岐管部をクランプにより挟み潰して分岐管部内の流体の流れを遮断可能とした分岐管継手であって、
前記クランプは、第１凸部が形成された一端部と、前記第１凸部と対向する第２凸部が形成された他端部と、前記一端部および前記他端部に連なる中間部と、前記他端部に形成されて前記一端部を係合可能な係合部と、を備え、
前記主管部を第１凸部と第２凸部と中間部との間で保持し、
前記一端部のうち第１凸部を挟んで中間部とは反対側、または他端部のうち第２凸部を挟んで中間部とは反対側には分岐挿通口を開設し、該分岐挿通口に前記分岐管部を挿通し、
前記中間部を撓ませて一端部を係合部へ係合すると、第１凸部と第２凸部とが近接し、第１凸部と第２凸部とで分岐管部のうち主管部寄りの箇所を挟み潰して、分岐管部の挟み潰し部位における流体の流れを遮断するように構成されたことを特徴とする分岐管継手。
【請求項５】
血液が流体として内部を流動する可撓性チューブを備えた血液回路であって、
前記可撓性チューブには、一端に動脈側穿刺針を接続するとともに、他端に静脈側穿刺針を接続した主配管を備え、該主配管の途中には分岐管継手を備えて分岐配管を分岐し、
前記分岐管継手は、両端に主配管を接続する主管部と、該主管部からＴ字状に分岐し、分岐配管を接続する分岐管部と、を備え、少なくとも分岐管部を可撓性部材により形成し、該分岐管部をクランプにより挟み潰して分岐管部内の流体の流れを遮断可能とし、
前記クランプは、第１凸部が形成された一端部と、前記第１凸部と対向する第２凸部が形成された他端部と、前記一端部および前記他端部に連なる中間部と、前記他端部に形成されて前記一端部を係合可能な係合部と、を備え、
前記主管部を第１凸部と第２凸部と中間部との間で保持し、
前記一端部のうち第１凸部を挟んで中間部とは反対側、または他端部のうち第２凸部を挟んで中間部とは反対側には分岐挿通口を開設し、該分岐挿通口に前記分岐管部を挿通し、
前記中間部を撓ませて一端部を係合部へ係合すると、第１凸部と第２凸部とが近接し、第１凸部と第２凸部とで分岐管部のうち主管部寄りの箇所を挟み潰して、分岐管部の挟み潰し部位における流体の流れを遮断するように構成されたことを特徴とする血液回路。
【発明の詳細な説明】
【技術分野】
【０００１】
本発明は、可撓性チューブを挟持して、その部位における流体の流れを遮断するためのクランプ、そのクランプを備えた分岐管継手、及びこれらを備えた血液回路に関する。
【背景技術】
【０００２】
人工透析治療などに用いられる血液回路は、流体として血液を内部に流動させる流体用配管（例えば可撓性を有するチューブ）を備え、該流体用配管の途中に分岐管継手を接続して分岐配管を分岐し、該分岐配管を通して薬液を血液内に投与したり輸血や点滴を行ったりできるように構成されている。そして、分岐配管の途中にはクランプを備え、該クランプにより分岐配管を挟み潰して薬液投与、輸血、点滴を停止できるように構成されている。
【０００３】
しかしながら、分岐配管のうちクランプにより挟み潰される箇所と分岐管継手との間には血液が滞留し易く、この滞留した血液が凝固して血栓を形成し易い。そこで、分岐管継手の分岐配管部側の接続ポートをクランプ内に臨ませ、分岐配管のうちクランプにより挟み潰される箇所を分岐管継手側に近づけたり（例えば、特許文献１および特許文献２参照）、あるいはクランプの代わりに三方活栓を利用して分岐配管を遮断したりして（例えば、特許文献３参照）、分岐管継手内および分岐配管内の血液の滞留量、ひいては血栓の形成量を少なく抑えようとすることが提案されている。
【先行技術文献】
【特許文献】
【０００４】
【特許文献１】実用新案登録第３１２２０２０号公報
【特許文献２】実用新案登録第３１２３１４７号公報
【特許文献３】特許第３７１８３９６号公報
【発明の概要】
【発明が解決しようとする課題】
【０００５】
ところで、上記特許文献１，２に記載のクランプおよび分岐管継手の構造では、クランプが分岐配管を挟み潰す箇所から分岐管継手の分岐基部までの距離が分岐配管の直径よりも十分に長く設定されており、分岐管継手内における流体の滞留量を少なくしているとは言い難い。また、上記特許文献３に記載の三方活栓では、構造が複雑になってしまい、血液回路などの流体供給系統の製造コストが増大する虞があり、好ましくない。
【０００６】
本発明は、上記した事情に鑑みてなされたものであり、その目的は、分岐配管を挟み潰した箇所から主配管側の位置に流体が滞留したとしても、この流体の滞留量を少なくすることができるクランプ、分岐管継手、および血液回路を提供しようとするものである。
【課題を解決するための手段】
【０００７】
本発明は、上記目的を達成するために提案されたものであり、請求項１に記載のものは、第１凸部が形成された一端部と、前記第１凸部と対向する第２凸部が形成された他端部と、前記一端部および前記他端部に連なる中間部と、前記他端部に形成されて前記一端部を係合可能な係合部と、を備え、前記中間部を撓ませて一端部を係合部へ係合すると、第１凸部と第２凸部とが近接し、第１凸部と第２凸部との間に挿通された可撓性チューブを挟持して、該可撓性チューブの挟持部位における流体の流れを遮断するクランプにおいて、
前記可撓性チューブのうち流体の本流路が形成される主配管を第１凸部と第２凸部と中間部との間で保持し、
前記一端部のうち第１凸部を挟んで中間部とは反対側、または他端部のうち第２凸部を挟んで中間部とは反対側には、可撓性チューブのうち主配管からＴ字状に分岐された分岐配管が挿通される分岐挿通口を開設し、
前記第１凸部と第２凸部とで分岐配管のうち主配管寄りの箇所を挟み潰すように構成されたことを特徴とするクランプである。
【０００８】
請求項２に記載のものは、前記一端部または他端部のうち分岐挿通口が開設された箇所の側縁から分岐挿通口に亘ってスリット状の挿入開口を分岐配管の管径よりも狭い幅で開設し、分岐配管を一端部または他端部の側方から挿入開口へ通して分岐挿通口へ嵌合可能としたことを特徴とする請求項１に記載のクランプである。
【０００９】
請求項３に記載のものは、前記挿入開口の縁部には複数の返し突起を突出端が分岐挿通口寄りに位置する状態で突設したことを特徴とする請求項２に記載のクランプである。
【００１０】
請求項４に記載のものは、両端に一対の開口を開放した主管部と、該主管部からＴ字状に分岐した分岐管部とを備え、少なくとも分岐管部を可撓性部材により形成し、主管部内および分岐管部内に流体を流動可能とし、分岐管部をクランプにより挟み潰して分岐管部内の流体の流れを遮断可能とした分岐管継手であって、
前記クランプは、第１凸部が形成された一端部と、前記第１凸部と対向する第２凸部が形成された他端部と、前記一端部および前記他端部に連なる中間部と、前記他端部に形成されて前記一端部を係合可能な係合部と、を備え、
前記主管部を第１凸部と第２凸部と中間部との間で保持し、
前記一端部のうち第１凸部を挟んで中間部とは反対側、または他端部のうち第２凸部を挟んで中間部とは反対側には分岐挿通口を開設し、該分岐挿通口に前記分岐管部を挿通し、
前記中間部を撓ませて一端部を係合部へ係合すると、第１凸部と第２凸部とが近接し、第１凸部と第２凸部とで分岐管部のうち主管部寄りの箇所を挟み潰して、分岐管部の挟み潰し部位における流体の流れを遮断するように構成されたことを特徴とする分岐管継手である。
【００１１】
請求項５に記載のものは、血液が流体として内部を流動する可撓性チューブを備えた血液回路であって、
前記可撓性チューブには、一端に動脈側穿刺針を接続するとともに、他端に静脈側穿刺針を接続した主配管を備え、該主配管の途中には分岐管継手を備えて分岐配管を分岐し、
前記分岐管継手は、両端に主配管を接続する主管部と、該主管部からＴ字状に分岐し、分岐配管を接続する分岐管部と、を備え、少なくとも分岐管部を可撓性部材により形成し、該分岐管部をクランプにより挟み潰して分岐管部内の流体の流れを遮断可能とし、
前記クランプは、第１凸部が形成された一端部と、前記第１凸部と対向する第２凸部が形成された他端部と、前記一端部および前記他端部に連なる中間部と、前記他端部に形成されて前記一端部を係合可能な係合部と、を備え、
前記主管部を第１凸部と第２凸部と中間部との間で保持し、
前記一端部のうち第１凸部を挟んで中間部とは反対側、または他端部のうち第２凸部を挟んで中間部とは反対側には分岐挿通口を開設し、該分岐挿通口に前記分岐管部を挿通し、
前記中間部を撓ませて一端部を係合部へ係合すると、第１凸部と第２凸部とが近接し、第１凸部と第２凸部とで分岐管部のうち主管部寄りの箇所を挟み潰して、分岐管部の挟み潰し部位における流体の流れを遮断するように構成されたことを特徴とする血液回路である。
【発明の効果】
【００１２】
本発明によれば、以下のような優れた効果を奏する。
すなわち、クランプは、第１凸部が形成された一端部と、第１凸部と対向する第２凸部が形成された他端部と、一端部および他端部に連なる中間部と、他端部に形成されて一端部を係合可能な係合部と、を備え、主管部を第１凸部と第２凸部と中間部との間で保持し、一端部のうち第１凸部を挟んで中間部とは反対側、または他端部のうち第２凸部を挟んで中間部とは反対側には分岐挿通口を開設し、該分岐挿通口に分岐管部を挿通し、中間部を撓ませて一端部を係合部へ係合すると、第１凸部と第２凸部とが近接し、第１凸部と第２凸部とで分岐管部のうち主管部寄りの箇所を挟み潰して、分岐管部の挟み潰し部位における流体の流れを遮断するように構成されたので、分岐配管（分岐管部）内のうちクランプの挟持箇所よりも主配管側（主管部側）の位置に流体が滞留したとしても、この流体の滞留量を少なくすることができる。したがって、血液回路を構成する可撓性チューブの分岐部分にクランプを使用した場合には、滞留血液や残留空気の影響で分岐箇所に血栓が形成される不都合、さらには血栓が分岐箇所から脱落して血液回路を分岐箇所とは異なる箇所で閉塞してしまう不都合を十分に抑えることができる。また、簡単な構造で分岐配管における流体の滞留量を少なくすることを実現することができ、流体供給系統（血液回路）の製造コストが高くなることを抑制することができる。
【図面の簡単な説明】
【００１３】
【図１】血液回路の概略図である。
【図２】分岐管継手の概略図である。
【図３】クランプの説明図であり、（ａ）は左側面図、（ｂ）は正面図、（ｃ）は右側面図である。
【図４】（ａ）は挿入開口を備えたクランプの説明図、（ｂ）は挿入開口に返し突起を突設したクランプの説明図である。
【発明を実施するための形態】
【００１４】
以下、本発明を実施するための形態を図面に基づいて説明する。
人工透析治療等のように体外循環による血液浄化療法に使用する血液回路１は、図１に示すように、流体の一種である血液や薬液を内部に流動させる可撓性チューブ（流体用配管）２を備え、該可撓性チューブ２を流体の本流路（具体的には血液の循環流路）が形成される主配管（第１経路）３と、該主配管３から分岐した分岐配管（第２経路）４とから構成している。また、主配管３の一端には動脈側穿刺針６を接続し、他端には静脈側穿刺針７を接続し、主配管３の途中には、血液ポンプ８が当接されるポンプ当接チューブ９と、ドリップチャンバー１０，１１と、血液浄化器１２とを配設している。さらに、ポンプ当接チューブ９よりも動脈側穿刺針６側（言い換えると主配管３の上流側）には分岐管継手１４を備え、該分岐管継手１４から分岐配管４を主管部３に略直交する方向へ分岐している。そして、分岐配管４の途中には輸液チャンバー１５を配設し、分岐配管４の先端には輸液容器１６を接続し、プライミング時に分岐配管４を介して主配管３へ生理食塩水を供給するとともに、場合によっては血液が主配管３内を循環中、輸液剤の注入または輸血を行い得る構成とされている。
【００１５】
次に、分岐管継手１４について説明する。
分岐管継手１４は、図２に示すように、両端に一対の開口を開放した主管部２１と、該主管部２１から側方へＴ字状に分岐し、先端に開口を開放した分岐管部２２と、主管部２１と分岐管部２２とを内側に保持する状態で装着されたクランプ（配管用クランプ）２３とを備えて構成されており、主管部２１と分岐管部２２とを略直交させている。また、主管部２１の開口には主配管３を接続して主管部２１を主配管３の一部として機能させ、分岐管部２２の先端開口には分岐配管４を接続して分岐管部２２を分岐配管４の一部として機能させ、主管部２１内および分岐管部２２内に血液や薬液などの流体を流動可能としている。さらに、分岐管部２２を可撓性部材（例えば塩化ビニル樹脂）により形成し、クランプ２３により分岐管部２２を挟み潰して分岐管部２２内の流体の流れを遮断可能としている。そして、主管部２１の管径を分岐管部２２の管径よりも大きく設定して主管部２１と分岐管部２２との間に段差部２４を形成し、該段差部２４にクランプ２３の一部を係合可能としている。
【００１６】
クランプ２３は、弾性変形可能な材質、例えばポリプロピレンで形成された部材であり、図３（ａ）〜（ｃ）に示すように、互いに対向する状態で配置された２つの長尺な挟持部（第１挟持部２６（本発明における一端部に相当）、第２挟持部２７（本発明における他端部に相当））と、両挟持部２６，２７の間に設定された配管保持空間部２８と、第１挟持部２６および第２挟持部２７に連なり、各挟持部２６，２７の長手方向の一端同士（図３（ｂ）中、左端同士）を連結する連結部２９（本発明における中間部に相当）と、各挟持部２６，２７の長手方向の他端同士（図３（ｂ）中、右端同士）を係合可能な係合機構３０とを備えて構成されている。具体的には、第２挟持部２７の他端（右端）を第１挟持部２６の他端側（右端側）へ向けて緩やかに折り返し、この折り返し部（湾曲部）のうち第１挟持部２６側に位置する先端には係合機構３０の一部となる係合部（係合爪）３０ａを形成し、第１挟持部２６の他端には、係合機構３０の一部となる被係合片３０ｂを形成している。そして、連結部２９を撓ませて第１挟持部２６と第２挟持部２７とを近づけ、被係合片３０ｂ（第１挟持部２６）を係合部３０ａへ係合して第１挟持部２６の他端と第２挟持部２７の他端とを係合可能としている。
【００１７】
また、第１挟持部２６には第１凸部３２を配管保持空間部２８側（クランプ２３の内側）へ向けて突設し、第２挟持部２７には、第１凸部３２に対向する第２凸部３３を配管保持空間部２８側（クランプ２３の内側）へ向けて突設し、各凸部３２，３３の先端を分岐管継手１４の段差部２４へ分岐管部２２の直径方向に横断する状態で係合可能としている。そして、第１挟持部２６と第２挟持部２７とを近づけて被係合片３０ｂと係合部３０ａとを係合した状態（図３（ｂ）中、二点鎖線で示す挟持状態）では、両凸部３２，３３間の距離を分岐管部２２の肉厚寸法の２倍よりも狭い間隔に設定し、被係合片３０ｂを係合部３０ａから外して第１挟持部２６と第２挟持部２７とを離した状態（図３（ｂ）中、実線で示す開放状態）では、両凸部３２，３３間の距離を分岐管部２２の管径よりも十分に広い間隔、言い換えると、分岐管部２２が潰れずに通液可能な常態を維持できる間隔に設定している。
【００１８】
さらに、配管保持空間部２８のうち凸部３２，３３よりも連結部２９寄り（図３（ｂ）中、左寄り）の位置には、配管保持空間部２８を間に挟んで互いに連通する２つの主挿通口３４を挟持部２６，２７の長手方向と交差する方向（具体的には、挟持部２６，２７の長手方向と直交する方向、且つ挟持部２６，２７の幅方向に沿う方向）へ向けて開放し、分岐管継手１４の主管部２１を両主挿通口３４へ通して配管保持空間部２８（詳しくは配管保持空間部２８の連結部２９側）へ挟持部２６，２７の長手方向と直交する姿勢で貫通させている。また、第２挟持部２７のうち第２凸部３３を挟んで連結部２９とは反対側（第２凸部３３よりも係合部３０ａ寄り）に位置する折り返し部、言い換えると、配管保持空間部２８の係合機構３０側を覆う折り返し部には、分岐管部２２を挿通可能な分岐挿通口３５を開放し、分岐管部２２を分岐挿通口３５へ挿通して配管保持空間部２８の外方（クランプ２３の外方）へ延出可能としている。そして、分岐挿通口３５の開口縁により分岐管部２２、さらには分岐管継手１４が第２挟持部２７から離れることを規制して、第２凸部３３を分岐管継手１４の段差部２４へ常時係合するとともに、第２凸部３３と連結部２９との間に主管部２１を常時嵌合して保持している。
【００１９】
このような構成のクランプ２３を分岐管継手１４に装着し、連結部２９を撓ませて係合機構３０により両挟持部２６，２７の他端同士を係合（言い換えると第１挟持部２６を係合部３０ａへ係合）してクランプ２３を挟持状態へ変換すると、第１凸部３２と連結部２９との間にも主管部２１を嵌合し、該主管部２１を第１凸部３２と第２凸部３３と連結部２９とで保持する。さらに、第１凸部３２と第２凸部３３とが近接し、両凸部３２，３３で分岐管部２２を横断する状態で挟み潰して可撓性チューブ２の一部である分岐配管４内の流体の流れ、具体的には輸液容器１６から流下してくる輸液剤や輸血用血液の流れを分岐管部２２の挟み潰し位置で遮断して、輸液剤や輸血用血液が主管部２１、ひいては主配管３へ流入することを阻止する。このとき、クランプ２３は、主管部２１を配管保持空間部２８内に内包した状態で、分岐管部２２のうち主管部２１寄り（直近）の箇所を挟み潰すので、分岐配管４（分岐管部２２）内のうちクランプ２３の挟持箇所よりも主配管３側（主管部２１側）の位置に血液（液体）などの流体が滞留したとしても、この流体の滞留量を、主管部相当部分を内包していない従来品に比較して少なくすることができる。したがって、血液回路１を構成する可撓性チューブ２の分岐部分にクランプ２３を使用した場合には、滞留血液の影響で分岐箇所に血栓が形成される不都合、さらには血栓が分岐箇所から脱落して血液回路１を分岐箇所とは異なる箇所で閉塞してしまう不都合を十分に抑えることができる。また、簡単な構造で分岐配管４における流体の滞留量を少なくすることを実現することができ、流体が安定して流動可能な流体供給系統（血液回路１）の製造コストが高くなることを抑制することができる。
【００２０】
さらに、第２凸部３３を分岐管継手１４の段差部２４へ常時係合するとともに、第２凸部３３と連結部２９との間に主管部２１を常時嵌合しているので、クランプ２３が開放状態であったとしても、第２凸部３３が分岐管部２２の根元となる主管部２１寄りの箇所から分岐管部２２の先端寄りへずれてしまうことがない。したがって、クランプ２３が不用意に分岐管部２２の先端側を挟持してしまう不都合を阻止することができる。
【００２１】
ところで、上記実施形態では、分岐挿通口３５に分岐管部２２を配管保持空間部２８側から通し、この状態で主管部２１を第２凸部３３と連結部２９との間へ押し入れて、配管保持空間部２８内に分岐管継手１４を保持（収容）する必要があったが、本発明はこれに限定されない。例えば、図４（ａ）に示す第２実施形態のクランプ２３では、分岐挿通口３５が開設された第２挟持部２７の側縁から分岐挿通口３５に亘ってスリット状の挿入開口３７を開設し、該挿入開口３７の開口幅を第２挟持部２７の側縁から分岐挿通口３５側ヘ向かうに連れて次第に縮幅している。さらに、分岐挿通口３５側の幅寸法を分岐管部２２の管径よりも狭く、且つ分岐管部２２の肉厚寸法の２倍よりも広く設定している。
【００２２】
このような挿入開口３７を備えたクランプ２３を分岐管継手１４へ装着するには、まず、クランプ２３を開放状態にしておき、分岐管継手１４の主管部２１を被係合片３０ｂと係合部３０ａとの間へ通し、さらには第２凸部３３と連結部２９との間へ押し入れて主挿通口３４へ挿通する。主管部２１を配管保持空間部２８内に保持したならば、分岐管継手１４を主管部２１の中心軸に沿ってスライドしたり主管部２１の中心軸を中心にして回動したりして分岐管部２２を第２挟持部２７の側方、詳しくは第２挟持部２７のうち挿入開口３７側（図４（ａ）中、左側方）へ位置させて挿入開口３７へ臨ませる。そして、分岐管部２２を挿入開口３７の開口幅方向に沿って押し潰し、この状態で分岐管継手１４を主管部２１の中心軸に沿ってスライドし、分岐管部２２を第２挟持部２７の側方から挿入開口３７へ通して分岐挿通口３５へ嵌合する。したがって、クランプ２３の装着手順の自由度を増すことができる。また、分岐管継手１４の分岐管部２２に予め分岐配管４を接続していた場合であっても、クランプ２３を容易に装着することができる。また、挿入開口３７を通って分岐挿通口３５へ嵌合された分岐管部２２は、復元力によって元の形状へ復元し、挿入開口３７へ戻らなくなる。したがって、分岐管部２２が不用意にクランプ２３から外れる不都合、ひいてはクランプ２３が分岐管継手１４から脱落する不都合を阻止することができる。なお、例えば、血液回路１を廃棄する時にクランプ２３を分岐管継手１４から外す場合には、分岐管部２２を挿入開口３７へ通過可能な程度まで十分に押し潰し、この状態で挿入開口３７へ通してクランプ２３の側方へ外す。分岐管部２２をクランプ２３の側方へ外したならば、主管部２１を連結部２９から離して被係合片３０ｂと係合部３０ａとの間へ通して配管保持空間部２８から外す。
【００２３】
また、図４（ｂ）に示すように、挿入開口３７の縁部に複数の返し突起３８を鋸歯状に突設し、各返し突起３８の突出端が分岐挿通口３５寄りに位置する状態に設定すれば、クランプ２３を分岐管継手１４へ装着する際に、分岐管部２２を挿入開口３７へ通す作業を一時中断したとしても、返し突起３８が分岐管部２２を引っ掛けることができ、分岐管部２２が挿入開口３７を逆戻りしてクランプ２３の外方へ外れてしまうことがない。
【００２４】
ところで、上記実施形態では、第２挟持部２７に分岐挿通口３５や挿入開口３７を開設したが、本発明はこれに限定されない。例えば、第１挟持部２６のうち第１凸部３２を挟んで連結部２９とは反対側（第１凸部３２よりも被係止片３０ｂ側）に位置する箇所を第２挟持部２７側へ湾曲し、この湾曲部分に分岐挿通口や挿通開口を開設してもよい。さらに、分岐管継手１４の分岐管部２２のみを可撓性部材で形成したが、本発明はこれに限定されない。要は、少なくとも分岐管部２２を可撓性部材で形成して、クランプ２３で押し潰すことができる構造であればよく、例えば、分岐管部２２とともに主管部２１を可撓性部材で形成してもよい。また、主管部２１を直状に形成して分岐管継手１４をＴ字状に設定したが、本発明はこれに限定されず、主管部を屈曲させたり湾曲させたりして分岐管継手をＹ字状に設定してもよい。さらに、上記実施形態においては、クランプ２３を分岐管継手１４に装着したが、本発明はこれに限定されない。例えば、分岐管継手を用いずに主配管から分岐配管を分岐した流体用配管（例えば、主配管と分岐配管とが一体成型された流体用配管）において、この分岐箇所に本発明のクランプ２３を装着してもよい。
【００２５】
また、上記実施形態では、主管部（主配管）を第１凸部３２と第２凸部３３と連結部（中間部）２９とで保持したが、本発明はこれに限定されない。要は、主管部（主配管）を第１凸部と第２凸部と中間部との間に保持していればよく、例えば、クランプ２３の両側部に側板を設け、該側板と中間部とで主管部（主配管）を保持してもよい。なお、側板としては、クランプの一端部を係合部へ案内するためのガイド板や、主管部（主配管）の位置決め用（振れ止め用）の板であってもよいし、あるいは主管部（主配管）を保持する機能のみを備えた板であってもよい。さらには、主管部（主配管）を中間部に接着固定して保持してもよい。
【００２６】
そして、上記実施形態では、クランプ２３および該クランプ２３が装着された分岐管継手１４を血液回路１に適用したが、本発明はこれに限定されない。要は、内部に気体や液体などの流体を流動可能な流体用配管を備え、流体用配管には主配管と該主配管から分岐された分岐配管とを含んでいれば、どのような構成の流体供給系統に適用してもよい。
【符号の説明】
【００２７】
１  血液回路
２  可撓性チューブ
３  主配管
４  分岐配管
６  動脈側穿刺針
７  静脈側穿刺針
８  血液ポンプ
９  ポンプ当接チューブ
１０，１１  ドリップチャンバー
１２  血液浄化器
１４  分岐管継手
１５  輸液チャンバー
１６  輸液容器
２１  主管部
２２  分岐管部
２３  クランプ
２４  段差部
２６  第１挟持部
２７  第２挟持部
２８  配管保持空間部
２９  連結部
３０  係合機構
３０ａ  係合部
３０ｂ  被係合片
３２  第１凸部
３３  第２凸部
３４  主挿通口
３５  分岐挿通口
３７  挿入開口
３８  返し突起
【図１】
2010279495.tif 000003
【図２】
2010279495.tif 000004
【図３】
2010279495.tif 000005
【図４】
2010279495.tif 000006